(57)【要約】    【課題】      マルチメディアデータを視聴することなく、容易にアクセス可能な情報を配信するサーバ装置、情報配信システム及び方法を提供すること。    【解決手段】  情報サーバ１０２は、宅内サーバ１０１に対してマルチメディアデータ取得要求を行い、宅内サーバ１０１からマルチメディアデータを取得する。そして、取得したマルチメディアデータから映像情報に含まれるテロップの情報からアクセス先情報及び他のテキストデータの抽出を行い、このフレームの静止画を作成する。抽出したアクセス先情報、他のテキストデータ、録画日時、チャンネルをテキスト情報とし、このテキスト情報及び作成した静止画を通信端末１０３に送信する。  【選択図】      図１
2006092490.tif 000002
【特許請求の範囲】
【請求項１】
録画中又は録画済みのマルチメディアデータに含まれるアクセス先情報を検索し、検索したアクセス先情報を抽出するアクセス先情報検索抽出手段と、
抽出されたアクセス先情報を通信端末装置に送信する送信手段と、
を具備することを特徴とするサーバ装置。
【請求項２】
アクセス先情報を含むフレームから静止画を作成する静止画作成手段を具備し、
前記送信手段は、作成された静止画を送信することを特徴とする請求項１に記載のサーバ装置。
【請求項３】
アクセス先情報を含むフレームの前後のマルチメディアデータを抽出するマルチメディアデータ加工手段を具備し、
前記送信手段は、抽出されたマルチメディアデータを送信することを特徴とする請求項１又は請求項２に記載のサーバ装置。
【請求項４】
アクセス先情報を含むフレームの前後のマルチメディアデータを抽出するマルチメディアデータ加工手段と、
抽出されたマルチメディアデータを蓄積するマルチメディアデータ蓄積手段と、
を具備し、
前記送信手段は、蓄積されたマルチメディアデータの所在を示す情報を送信することを特徴とする請求項１又は請求項２に記載のサーバ装置。
【請求項５】
アクセス先情報を含むフレームより前からマルチメディアデータの配信を開始するｗｅｂページを作成するマルチメディアデータ加工手段を具備し、
前記送信手段は、作成されたｗｅｂページのＵＲＬを送信することを特徴とする請求項１又は請求項２に記載のサーバ装置。
【請求項６】
作成された静止画の画像サイズをユーザ毎に指定された画像サイズに合わせることを特徴とする請求項２から請求項５のいずれかに記載のサーバ装置。
【請求項７】
作成された静止画の画像サイズ及び静止画のファイルフォーマットをユーザ毎に指定された画像サイズに合わせることを特徴とする請求項２から請求項６のいずれかに記載のサーバ装置。
【請求項８】
抽出されたマルチメディアデータの画像サイズをユーザ毎に指定された画像サイズに合わせることを特徴とする請求項３又は請求項４に記載のサーバ装置。
【請求項９】
抽出されたマルチメディアデータの画像サイズ及びマルチメディアデータのファイルフォーマットをユーザ毎に指定された画像サイズに合わせることを特徴とする請求項３又は請求項４に記載のサーバ装置。
【請求項１０】
通信端末装置の環境情報と前記通信端末装置が表示可能な画像サイズ及びファイルフォーマットとを対応付けたテーブルを予め記憶する記憶手段と、
通信端末装置から環境情報を取得すると、取得した環境情報に対応する画像サイズ又はファイルフォーマットを前記記憶手段に記憶されたテーブルに基づいて決定する決定手段と、
を具備することを特徴とする請求項６から請求項９のいずれかに記載のサーバ装置。
【請求項１１】
通信端末装置から個体識別情報及び環境情報を予め取得し、通信端末装置の環境情報と前記通信端末装置が表示可能な画像サイズ及びファイルフォーマットとを対応付けたテーブルを記憶する記憶手段と、
前記通信端末装置から静止画又はマルチメディアデータ取得要求と共に環境情報を取得すると、取得した環境情報に対応する画像サイズ又はファイルフォーマットを前記記憶手段に記憶されたテーブルに基づいて決定する決定手段と、
を具備することを特徴とする請求項６から請求項９のいずれかに記載のサーバ装置。
【請求項１２】
抽出されたマルチメディアデータにアクセス先情報を埋め込むことを特徴とする請求項３又は請求項４に記載のサーバ装置。
【請求項１３】
アクセス先情報を抽出するフレームをイントラフレームとすることを特徴とする請求項１から請求項１２のいずれかに記載のサーバ装置。
【請求項１４】
前記送信手段は、前記アクセス先情報検索抽出手段に入力されたキーワードが、アクセス先情報を含むフレーム内の他のテキストデータに含まれる場合にアクセス先情報を送信することを特徴とする請求項１から請求項１３のいずれかに記載のサーバ装置。
【請求項１５】
前記送信手段は、録画予約が行われたマルチメディアデータから抽出されたアクセス先情報を、録画予約を行ったユーザに限定して送信することを特徴とする請求項１から請求項１４のいずれかに記載のサーバ装置。
【請求項１６】
前記送信手段は、ユーザからのマルチメディアデータ取得要求を受け、ｗｅｂブラウザを介してマルチメディアデータを送信することを特徴とする請求項１から請求項１５のいずれかに記載のサーバ装置。
【請求項１７】
録画中又は録画済みのマルチメディアデータに含まれるアクセス先情報を検索し、検索したアクセス先情報を抽出するアクセス先情報検索抽出手段と、
抽出されたアクセス先情報を通信端末装置に送信する送信手段と、
前記サーバから送信されたアクセス先情報を用いてアクセス先へアクセスする通信端末装置と、
を具備することを特徴とする情報配信システム。
【請求項１８】
録画中又は録画済みのマルチメディアデータに含まれるアクセス先情報を検索し、検索したアクセス先情報を抽出するアクセス先情報検索抽出工程と、
抽出されたアクセス先情報を通信端末装置に送信する送信工程と、
を具備することを特徴とする情報配信方法。
【発明の詳細な説明】
【技術分野】
【０００１】
本発明は、サーバ装置、情報配信システム及び情報配信方法に関する。
【背景技術】
【０００２】
一般に、インターネット等の通信ネットワークを介して、動画等の様々なデジタルコンテンツが配信されている。デジタルコンテンツ配信システムとしては、特許文献１に記載されたものが知られている。以下、特許文献１に記載されたコンテンツ配信システムについて説明する。
【０００３】
図１５は、特許文献１に記載のコンテンツ配信システムの構成を示す。この図において、配信サーバ１１は、ユーザ端末１２から内容確認要求を受けると、大容量の動画コンテンツである正規コンテンツの配信に先立って、容量が少なく、正規コンテンツの内容を確認する確認用コンテンツをユーザ端末１２に配信する。
【０００４】
これにより、利用者が動画コンテンツの内容を十分に確認することができ、利用者が不要なコンテンツの配信を受けることによる、時間と通信料金の無駄を解消でき、高い顧客満足度を実現することができる。
【０００５】
一方、近年、地上デジタル放送が普及しつつあり、非特許文献１には地上デジタル放送受像器（以下、単に「テレビ」という）と携帯電話との双方向サービスについて記載されている。以下、非特許文献１に記載された双方向サービスについて説明する。
【０００６】
図１６は、非特許文献１に記載の双方向サービスシステムの構成を示す。この図において、携帯電話２１は赤外線リモコンが搭載されており、テレビリモコンとして機能する。テレビ２２にテロップなどが表示され、視聴者が携帯電話２１をテレビ２２に向けてテレビリモコンとして使用すると、携帯電話２１のボタンが押下されたことがテレビ２２からインターネットを経由して配信サーバ２３に伝えられる。配信サーバ２３は、予め登録されている携帯電話２１のメールアドレスにテレビ２２で表示中のテロップに関する情報を配信する。
【０００７】
例えば、ある商品のＣＭ中に表示されたテロップに対して携帯電話２１のボタンを押下すると、その商品の詳細情報や関連商品の情報（例えば、図中、広告主のモバイルサイトなど）を閲覧可能なＵＲＬが配信サーバ２３より配信される。これにより、視聴者はテレビ２２に表示された情報を即座に入手することができる。
【特許文献１】特開２００３−６９９５７号公報
【非特許文献１】双方向コミュニケーション技術『ワンプッシュ』[online].株式会社サイバード，２００３年１０月６日．[retrieved on 2004-03-25].retrieved from the Internet:<URL:http://www.cybird.co.jp/press/corporate/s20031006.html>.
【発明の開示】
【発明が解決しようとする課題】
【０００８】
しかしながら、特許文献１に記載のコンテンツ配信システムでは、利用者が確認用コンテンツを取得するたびに所定のＵＲＬにアクセスし、煩雑な作業を必要とする。
【０００９】
また、非特許文献１に記載の双方向サービスシステムでは、リアルタイムで表示されている情報しか得られないため、テレビを視聴していなければ情報を入手することができない。
【００１０】
本発明はかかる点に鑑みてなされたものであり、マルチメディアデータを視聴することなく、容易にアクセス可能な情報を配信するサーバ装置、情報配信システム及び方法を提供することを目的とする。
【課題を解決するための手段】
【００１１】
本発明のサーバ装置は、録画中又は録画済みのマルチメディアデータに含まれるアクセス先情報を検索し、検索したアクセス先情報を抽出するアクセス先情報検索抽出手段と、抽出されたアクセス先情報を通信端末装置に送信する送信手段と、を具備する構成を採る。
【００１２】
この構成によれば、ユーザがマルチメディアデータを視聴するか否かにかかわらず、マルチメディアデータに含まれるアクセス先情報が通信端末装置に送信されるので、マルチメディアデータが再生されるテレビ等をユーザが視聴することなく、容易にアクセス可能な情報を配信することができる。
【００１３】
本発明のサーバ装置は、上記構成において、アクセス先情報を含むフレームから静止画を作成する静止画作成手段を具備し、前記送信手段は、作成された静止画を送信する構成を採る。
【００１４】
この構成によれば、マルチメディアデータが再生されるテレビ等をユーザが視聴しなくても、アクセス先の概要をユーザに通知することができる。
【００１５】
本発明のサーバ装置は、上記構成において、アクセス先情報を含むフレームの前後のマルチメディアデータを抽出するマルチメディアデータ加工手段を具備し、前記送信手段は、抽出されたマルチメディアデータを送信する構成を採る。
【００１６】
この構成によれば、アクセス先情報を含むフレームの前後のマルチメディアデータを送信することにより、アクセス先の詳細をユーザに通知することができる。
【００１７】
本発明のサーバ装置は、上記構成において、アクセス先情報を含むフレームの前後のマルチメディアデータを抽出するマルチメディアデータ加工手段と、抽出されたマルチメディアデータを蓄積するマルチメディアデータ蓄積手段と、を具備し、前記送信手段は、蓄積されたマルチメディアデータの所在を示す情報を送信する構成を採る。
【００１８】
この構成によれば、蓄積されたマルチメディアデータの所在を示す情報を送信するため、アクセス先情報を含むフレームの前後のマルチメディアデータそのものを送信する場合に比べ、送信するデータ量を削減することができる。
【００１９】
本発明のサーバ装置は、上記構成において、アクセス先情報を含むフレームより前からマルチメディアデータの配信を開始するｗｅｂページを作成するマルチメディアデータ加工手段を具備し、前記送信手段は、作成されたｗｅｂページのＵＲＬを送信する構成を採る。
【００２０】
この構成によれば、アクセス先情報を含むフレームより前からマルチメディアデータの配信を開始するｗｅｂページのＵＲＬを送信するため、アクセス先情報を含むフレームの前後のマルチメディアデータそのものを送信する場合に比べ、送信するデータ量を削減することができる。
【００２１】
本発明のサーバ装置は、上記構成において、作成された静止画の画像サイズをユーザ毎に指定された画像サイズに合わせる構成を採る。
【００２２】
本発明のサーバ装置は、上記構成において、作成された静止画の画像サイズ及び静止画のファイルフォーマットをユーザ毎に指定された画像サイズに合わせる構成を採る。
【００２３】
また、本発明のサーバ装置は、上記構成において、抽出されたマルチメディアデータの画像サイズをユーザ毎に指定された画像サイズに合わせる構成を採る。
【００２４】
本発明のサーバ装置は、上記構成において、抽出されたマルチメディアデータの画像サイズ及びマルチメディアデータのファイルフォーマットをユーザ毎に指定された画像サイズに合わせる構成を採る。
【００２５】
これらの構成によれば、静止画又はマルチメディアデータの画像サイズをユーザ毎に合わせることにより、それぞれ異なる画面サイズを有する通信端末装置が静止画又はマルチメディアデータを画面に収めきれないということを防止することができる。
【００２６】
本発明のサーバ装置は、上記構成において、通信端末装置の環境情報と前記通信端末装置が表示可能な画像サイズ及びファイルフォーマットとを対応付けたテーブルを予め記憶する記憶手段と、通信端末装置から環境情報を取得すると、取得した環境情報に対応する画像サイズ又はファイルフォーマットを前記記憶手段に記憶されたテーブルに基づいて決定する決定手段と、を具備する構成を採る。
【００２７】
本発明のサーバ装置は、上記構成において、通信端末装置から個体識別情報及び環境情報を予め取得し、通信端末装置の環境情報と前記通信端末装置が表示可能な画像サイズ及びファイルフォーマットとを対応付けたテーブルを記憶する記憶手段と、前記通信端末装置から静止画又はマルチメディアデータ取得要求と共に環境情報を取得すると、取得した環境情報に対応する画像サイズ又はファイルフォーマットを前記記憶手段に記憶されたテーブルに基づいて決定する決定手段と、を具備する構成を採る。
【００２８】
これらの構成によれば、それぞれ異なる画面サイズを有する通信端末装置に対して送信する静止画又はファイルフォーマットの画像サイズを自動的に決定することができる。
【００２９】
本発明のサーバ装置は、上記構成において、抽出されたマルチメディアデータにアクセス先情報を埋め込む構成を採る。
【００３０】
この構成によれば、抽出されたマルチメディアデータを再生中にアクセス先情報を表示することができ、表示されたアクセス先情報からアクセスすることができる。
【００３１】
本発明のサーバ装置は、上記構成において、アクセス先情報を抽出するフレームをイントラフレームとする構成を採る。
【００３２】
この構成によれば、アクセス先情報を抽出するフレームを、１つのフレーム内で圧縮が完結しているイントラフレームとすることにより、イントラフレームの前後のフレームを参照することなく、アクセス先情報を検索することができるので、検索に要する処理を容易に行うことができる。
【００３３】
本発明のサーバ装置は、上記構成において、前記送信手段が、前記アクセス先情報検索抽出手段に入力されたキーワードが、アクセス先情報を含むフレーム内の他のテキストデータに含まれる場合にアクセス先情報を送信する構成を採る。
【００３４】
この構成によれば、ユーザが求めるアクセス先情報を効率的に送信することができると共に、単に検索されたアクセス先情報を全て送信する場合に比べ、送信回数を抑えることができる。
【００３５】
本発明のサーバ装置は、上記構成において、前記送信手段が、録画予約が行われたマルチメディアデータから抽出されたアクセス先情報を、録画予約を行ったユーザに限定して送信する構成を採る。
【００３６】
この構成によれば、ユーザが求めるアクセス先情報を効率的に送信することができると共に、単に検索されたアクセス先情報を全て送信する場合に比べ、送信回数を抑えることができる。
【００３７】
本発明のサーバ装置は、上記構成において、前記送信手段が、ユーザからのマルチメディアデータ取得要求を受け、ｗｅｂブラウザを介してマルチメディアデータを送信する構成を採る。
【００３８】
この構成によれば、ｗｅｂブラウザで静止画又はマルチメディアデータを閲覧することができるので、通信端末に専用のアプリケーションを実装する手間を省くことができる。
【００３９】
本発明の情報配信システムは、録画中又は録画済みのマルチメディアデータに含まれるアクセス先情報を検索し、検索したアクセス先情報を抽出するアクセス先情報検索抽出手段と、抽出されたアクセス先情報を通信端末装置に送信する送信手段と、前記サーバから送信されたアクセス先情報を用いてアクセス先へアクセスする通信端末装置と、を具備する構成を採る。
【００４０】
この構成によれば、ユーザがマルチメディアデータを視聴するか否かにかかわらず、マルチメディアデータに含まれるアクセス先情報が通信端末装置に送信されるので、マルチメディアデータが再生されるテレビ等をユーザが視聴することなく、容易にアクセス可能な情報を配信することができる。
【００４１】
本発明の情報配信方法は、録画中又は録画済みのマルチメディアデータに含まれるアクセス先情報を検索し、検索したアクセス先情報を抽出するアクセス先情報検索抽出工程と、抽出されたアクセス先情報を通信端末装置に送信する送信工程と、を具備するようにした。
【００４２】
この方法によれば、ユーザがマルチメディアデータを視聴するか否かにかかわらず、マルチメディアデータに含まれるアクセス先情報が通信端末装置に送信されるので、マルチメディアデータが再生されるテレビ等をユーザが視聴することなく、容易にアクセス可能な情報を配信することができる。
【発明の効果】
【００４３】
本発明によれば、マルチメディアデータを視聴することなく、容易にアクセス可能な情報を配信する情報配信システム及び情報配信方法を提供することができる。
【発明を実施するための最良の形態】
【００４４】
以下、本発明の実施の形態について、図面を参照して詳細に説明する。なお、実施の形態において、同一機能を有する構成には同一符号を付し、重複する説明については省略する。
【００４５】
（実施の形態１）
図１は、本発明の実施の形態１に係る情報配信システム１００の構成を示す。この図において、宅内サーバ（家庭内マルチメディアサーバ）１０１は、映像、音声からなるマルチメディアデータを記憶し、後述する情報サーバ１０２からのマルチメディア取得要求を受けると、記憶中のマルチメディアデータ、又は記憶されているマルチメディアデータを情報サーバ１０２に出力する。
【００４６】
情報サーバ１０２は、宅内サーバ１０１に対してマルチメディアデータ取得要求を行い、宅内サーバ１０１からマルチメディアデータを取得する。情報サーバ１０２は取得したマルチメディアデータから映像情報に含まれるテロップの情報から電話番号、ＵＲＬ、メールアドレス（以下、電話番号、ＵＲＬ、メールアドレスを含むアクセス先の情報を「アクセス先情報」という）、及びアクセス先情報を含むフレーム内の他のテキストデータ（以下、「他のテキストデータ」という）の抽出を行い、このフレームの静止画を作成する。そして、抽出したアクセス先情報、他のテキストデータ、録画日時、チャンネルをテキスト情報として通信端末１０３に送信する。また、静止画データも通信端末１０３に送信する。
【００４７】
また、情報サーバ１０２は、ユーザＩＤ及びパスワードを管理するユーザ情報テーブルを有し、このユーザ情報テーブルには、宅内サーバのアドレス、録画予約情報（チャンネル、録画開始日、録画開始時間、録画終了時間）、アクセス先情報を検出したら自動的にテキスト情報をメール送信するメール自動送信モードのＯＮ／ＯＦＦ、通信端末の画像サイズも管理されている。なお、この実施の形態１では、メール自動送信モードをＯＮに設定し、アクセス先情報を検出したら自動的にテキスト情報を通信端末１０３にメール送信する場合について説明する。
【００４８】
通信端末１０３は、携帯電話やパーソナルコンピュータ（ＰＣ）、ＰＤＡ（Personal Digital Assistance）等であり、電子メール機能及びＷｅｂブラウザ機能を有する既存の通信端末である。通信端末１０３は、情報サーバ１０２から送信されたテキスト情報及び静止画データを受信する。これにより、マルチメディアデータが再生されるテレビ等をユーザが視聴しなくても、アクセス先の概要をユーザに通知することができる。
【００４９】
図２は、図１に示す情報サーバ１０２の内部構成を示す。この図において、宅内サーバ１０１から出力されたマルチメディアデータは、受信バッファ１１１に一時保持される。受信バッファ１１１に保持されたマルチメディアデータは、ＭＰＥＧ２システムデコーダ１１２に出力される。
【００５０】
ＭＰＥＧ２システムデコーダ１１２は、受信バッファ１１１から出力されたマルチメディアデータをＭＰＥＧ２方式により復号し、復号したマルチメディアデータをビデオバッファ１１３に出力する。ビデオバッファ１１３はＭＰＥＧ２システムデコーダで復号されたマルチメディアデータを一時保持し、テロップ検索抽出部１１４に出力する。
【００５１】
テロップ検索抽出部１１４は、ビデオバッファ１１３から出力されたマルチメディアデータからアクセス先情報及び他のテキストデータの抽出を行い、抽出したこれらの情報をテキスト情報作成部１１５に出力すると共に、アクセス先情報を含むフレームを静止画作成部１１６に出力する。テロップ検索抽出技術は既存の技術を用い、例えば、堀修，”テロップ認識のための映像からのロバストな文字部抽出法”，電気情報通信学会論文誌D-II Vol.84-D-II No.8 pp1800-1808,2001や特開２００２−７４２６５号公報に記載されている技術を用いる。
【００５２】
テキスト情報作成部１１５は、テロップ検索抽出部１１４から出力された情報をテキスト情報として作成し、作成したテキスト情報を情報蓄積部１１７に出力する。
【００５３】
一方、静止画作成部１１６は、テロップ検索抽出部１１４から出力されたフレームから静止画を作成し、作成した静止画を情報蓄積部１１７に出力する。
【００５４】
情報蓄積部１１７は、テキスト情報作成部１１５から出力されたテキスト情報と、静止画作成部１１６から出力された静止画を蓄積し、蓄積した情報をパケット化部１１８に出力する。パケット化部１１８は情報蓄積部１１７から出力されたテキスト情報と静止画をパケット単位で構成し、送信データとして通信端末１０３に送信する。
【００５５】
図３は、図１に示す宅内サーバ１０１の内部構成を示す。この図において、マルチメディアデータのうち映像情報はＭＰＥＧ−２エンコーダ１２１に入力され、ＭＰＥＧ２方式により圧縮・符号化される。符号化された映像情報はビデオバッファ１２２で一時保持され、ＭＰＥＧ２システムエンコーダ１２５に出力される。
【００５６】
一方、マルチメディアデータのうち音声情報はＡＣ３エンコーダ１２３に入力され、ＡＣ３方式により符号化される。符号化された音声情報はオーディオバッファ１２４に一時保持され、ＭＰＥＧ２システムエンコーダ１２５に出力される。
【００５７】
ＭＰＥＧ２システムエンコーダ１２５は、ビデオバッファ１２２から出力されたＭＰＥＧ２データとオーディオバッファ１２４から出力されたＡＣ３データに対してＭＰＥＧ２システム符号化を施し、マルチメディアデータとしてマルチメディアデータ蓄積部１２６に出力する。
【００５８】
送信データ取得処理部１２７は、情報サーバ１０２からマルチメディアデータ取得要求を受けると、マルチメディアデータ蓄積部１２６からマルチメディアデータを取得し、取得したマルチメディアデータをパケット化部１２８に出力する。
【００５９】
パケット化部１２８は送信データ取得処理部１２７から出力されたマルチメディアデータをパケットで構成し、送信データとして送信する。
【００６０】
次に、上記構成を有する情報配信システム１００の動作について説明する。まず、情報サーバ１０２の基本動作について説明する。図４は、図１に示す情報サーバの基本動作を示す。この図において、ステップ（以下、「ＳＴ」と省略する）１３１では、情報サーバ１０２が現在時刻をモニタし、ユーザＩＤやパスワード等のユーザ情報を記憶するユーザ情報テーブルにユーザ毎に設定される録画開始時間に達したか否かを判定する。録画開始時間に達していればＳＴ１３２に移行し、録画開始時間に達していなければＳＴ１３１の動作を繰り返す。
【００６１】
ＳＴ１３２では、情報サーバ１０２はスレッドを起動し、ＳＴ１３３でユーザ情報テーブルに保持された宅内サーバ１０１のアドレスに接続する。ＳＴ１３４では、接続した宅内サーバの録画制御を行い、ＳＴ１３５では、情報サーバ１０２が録画中の宅内サーバ１０１からＭＰＥＧ２方式のマルチメディアデータ（ＭＰＥＧ２データ）の受信を開始する。
【００６２】
ＳＴ１３６では、受信したマルチメディアデータに含まれるテロップや静止画の検索及び抽出を行い、抽出した情報を通信端末１０３に送信する。なお、ユーザが予め登録したキーワードが他のテキストデータに含まれているか検索し、キーワードが含まれている場合のみ、抽出した情報を通信端末１０３に送信するようにしてもよい。これにより、ユーザが求めるアクセス先情報を効率的に送信することができると共に、単に検索されたアクセス先情報を全て送信する場合に比べ、送信回数を抑えることができる。
【００６３】
ＳＴ１３７では、宅内サーバ１０１からのマルチメディアデータの受信が終了し、ＳＴ１３８では、情報サーバ１０２は宅内サーバ１０１との接続を切断し、ＳＴ１３９でスレッドを終了する。これにより、情報サーバ１０２の基本動作を終了する。
【００６４】
図５は、図２に示す情報サーバ１０２のテロップ検索抽出及び送信処理を示す。この図において、ＳＴ１４１では、ビデオバッファ１１３がバッファ内に保持しているデータ量をチェックし、所定量に達しているか否か判断する。所定量に達していれば（ＹＥＳ）ＳＴ１４２に移行し、所定量に達していなければ（ＮＯ）ＳＴ１４１に戻る。
【００６５】
ＳＴ１４２では、ビデオバッファ１１３内のデータがテロップ検索抽出部１１４に出力され、テロップ検索抽出部１１４が取得したデータの先頭イントラフレーム（以下、「Ｉフレーム」という）が読み取られる。ＳＴ１４３では、ＳＴ１４２において読み取られたＩフレーム内に含まれるテロップをテロップ検索抽出部１１４が全てテキスト化する。アクセス先情報を抽出するフレームを、１つのフレーム内で圧縮が完結しているＩフレームとすることにより、Ｉフレームの前後のフレームを参照することなく、アクセス先情報を検索することができるので、検索に要する処理を容易に行うことができる。
【００６６】
ＳＴ１４４では、ＳＴ１４３においてテキスト化されたテロップにアクセス先情報が含まれているか否かが判断される。アクセス先情報が含まれているか否かの判断は、例えば、４桁以上の数字が含まれていればその数字を含む行を電話番号と判断し、httpが含まれていればhttpを含む行をＵＲＬと判断し、「＠」が含まれていれば「＠」を含む行をメールアドレスと判断するというようにして行われる。アクセス先情報が含まれていれば（ＹＥＳ）ＳＴ１４５に移行し、アクセス先情報が含まれていなければ（ＮＯ）ＳＴ１５２に移行する。
【００６７】
ＳＴ１４５では、テロップ検索抽出部１１４がテロップからアクセス先情報及び他のテキストデータを抽出する。ＳＴ１４６では、テキスト情報作成部１１５がアクセス先情報、他のテキストデータ、録画日時（情報サーバ１０２が記憶している録画日時）、チャンネル（情報サーバ１０２が記憶しているチャンネル）を含むテキスト情報を作成し、ＳＴ１４７では、今回作成したテキスト情報が前回作成したテキスト情報と一致するか否かが判断される。ここでは、同じ情報が検索された場合には、最初の情報のみ送信することにより、重複した情報を送信することを防止することができる。今回作成したテキスト情報が前回作成したテキスト情報と一致すれば（ＹＥＳ）ＳＴ１４８に移行し、一致しなければ（ＮＯ）ＳＴ１４９に移行する。
【００６８】
ＳＴ１４８では、今回作成したテキスト情報が既に前回作成されているので、今回作成したテキスト情報を破棄し、ＳＴ１５２に移行する。
【００６９】
ＳＴ１４９では、ＳＴ１４２において読み取ったＩフレームの表示時刻ｔ０を静止画作成部１１６が記憶すると共に、Ｉフレームの静止画を作成し、ＳＴ１５０に移行する。
【００７０】
ＳＴ１５０では、ＳＴ１４６で作成したテキスト情報とＳＴ１４９で作成した静止画とをパケット化部１１８がパケット化して送信データを作成し、ＳＴ１５１で通信端末１０３に送信データを送信し、情報サーバ１０２のテロップ検索抽出及び送信処理を終了する。なお、データ送信は、メール本文をテキスト情報とし、添付ファイルを静止画とするメールの送信でもよい。
【００７１】
ＳＴ１５２では、ＳＴ１４２で読み取った先頭Ｉフレームの次のＩフレームがテロップ検索抽出部１１４にあるか否かが判断され、Ｉフレームがなければ（ＮＯ）ＳＴ１５３に移行し、Ｉフレームがあれば（ＹＥＳ）ＳＴ１４３に戻る。
【００７２】
ＳＴ１５３では、ビデオバッファ１１３にデータが保持されていない、すなわちビデオバッファ１１３が空であるか否かが判断され、空であれば（ＹＥＳ）ＳＴ１５４に移行し、空でなければ（ＮＯ）ＳＴ１４１に戻る。
【００７３】
ＳＴ１５４では、ビデオバッファ１１３が空になってから所定時間が経過したか否かが判断され、所定時間が経過していなければ（ＮＯ）ＳＴ５１３に戻り、所定時間が経過していれば（ＹＥＳ）テロップ検索抽出及び送信処理を終了する。
【００７４】
このように実施の形態１によれば、情報サーバがマルチメディアデータに含まれるアクセス先情報を自動的に検出し、検出したアクセス先情報を通信端末に送信することにより、ユーザはマルチメディアデータを視聴することなく、送信されたアクセス先情報を基に容易にアクセスすることができる。
【００７５】
なお、情報サーバがマルチメディアデータの配信を開始するＷｅｂのＵＲＬを通信端末に送信するようにしてもよく、この場合、通信端末が受信したＵＲＬを用いて宅内サーバに対してマルチメディアデータ取得要求を行い、宅内サーバがマルチメディアデータを通信端末に即座に配信する。
【００７６】
また、宅内サーバが管理している時刻を通知し、情報サーバに録画予約が行われるたびに、情報サーバが管理している時刻と宅内サーバから通知された時刻とのずれをユーザ情報テーブルに記録し、情報サーバは宅内サーバの時刻とのずれを修正して録画制御を行ったり、メール自動送信モードをＯＮにしている場合は、宅内サーバとの時刻のずれを修正することなく、情報サーバが管理する時刻に基づいて録画制御を行ったりする。
【００７７】
また、本実施の形態では、ユーザ情報テーブルは、ユーザＩＤ及びパスワードを管理するものとして説明したが、本発明はこれに限らず、ユーザＩＤ及びパスワードの代わりに、通信端末１０３のサブスクライバＩＤなどの個体識別情報を管理するようにしてもよい。この場合、情報サーバ１０２はユーザ情報テーブルで管理する個体識別情報に基づいて通信端末１０３からのアクセスを許可するようにしてもよい。
【００７８】
（実施の形態２）
実施の形態１では、メール自動送信モードがＯＮの場合について説明したが、本発明の実施の形態２では、アクセス先情報を検出したら自動的にテキスト情報を通信端末にメール送信しない場合、すなわち、メール自動送信モードがＯＦＦの場合について説明する。
【００７９】
図６は、本発明の実施の形態２に係る情報配信システムの構成を示す。この図において、通信端末１０３は、録画予約、テロップ検索、ユーザ設定（パスワード及びメール自動送信モード等の設定）等を要求する情報リクエストを情報サーバ１０２に送信する。
【００８０】
情報サーバ１０２は、通信端末１０３から情報リクエストを受信すると、通信端末１０３とＳＳＬ（Super Socket Layer）接続を行い、ユーザ認証を行って、通信端末１０３からの情報リクエストに対して、録画予約、テロップ検索、ユーザ設定等の処理を行う。
【００８１】
図７は、図６に示す情報サーバ１０２の動作状態遷移を示す。ＳＴ１６１では、情報サーバ１０２が通信端末１０３から情報リクエストを受信し、ＳＴ１６２ではスレッドを起動する。続いて、ＳＴ１６３において通信端末１０３とのＳＳＬ接続を試みて、ＳＳＬ接続に成功すればＳＴ１６４に移行し、ＳＳＬ接続に失敗すればＳＴ１７３に移行する。
【００８２】
ＳＴ１６４では、情報サーバ１０２はユーザによるユーザＩＤ及びパスワードの入力、又は情報サーバ１０２の動作終了を指示する「終了」クリック待ちとなる。情報サーバ１０２は、正しいユーザＩＤ及びパスワードを受信（ユーザ認証）するとＳＴ１６５に移行し、「終了」が選択されるとＳＴ１７４に移行する。
【００８３】
ＳＴ１６５では、情報サーバ１０２が録画予約、テロップ検索、ユーザ設定、ログアウトのいずれかの選択入力待ちとなり、録画予約が選択されるとＳＴ１６６に移行し、テロップ検索が選択されるとＳＴ１６７に移行し、ユーザ設定が選択されるとＳＴ１７２に移行し、ログアウトが選択されるとＳＴ１７３に移行する。
【００８４】
ＳＴ１６６では、情報サーバ１０２が録画予約処理を行い、ＳＴ１７４に移行する。録画予約処理は、チャンネル、録画開始日時、録画終了日時の設定処理であり、これらの設定はＧコードで行ってもよい。
【００８５】
ＳＴ１６７では、情報サーバ１０２がユーザ情報テーブルに保持された宅内サーバ１０１のアドレスに接続し、ＳＴ１６８では、ユーザが指定したファイル名を検索条件としてテロップ検索抽出部１１４に設定（検索条件設定処理）する。検索条件は、ユーザによって複数のファイルから選択されたファイル名を設定してもよいし、ユーザによって入力されたキーワードを設定してもよい。
【００８６】
ＳＴ１６９では、ＭＰＥＧ２方式のマルチメディアデータの受信を開始し、ＳＴ１７０では、受信したマルチメディアデータに含まれるテロップや静止画の検索及び抽出を行い、抽出した情報を通信端末１０３に送信する。ここで、ＳＴ１６８で設定された検索条件がユーザによって入力されたキーワードであった場合、他のテキストデータにキーワードが含まれているときだけ、抽出した情報を通信端末１０３に送信するようにしてもよい。ＳＴ１７１では、情報サーバ１０２が宅内サーバ１０１との接続を切断し、ＳＴ１７４に移行する。
【００８７】
ＳＴ１７２では、パスワード及びメール自動送信モード等の設定を行うユーザ設定処理が行われ、ＳＴ１７４に移行する。ＳＴ１７３では、通信端末１０３との接続切断処理を行い、ＳＴ１７４に移行する。
【００８８】
ＳＴ１７４では、情報サーバ１０２がスレッドを終了することにより、情報サーバ１０２の動作を終了する。
【００８９】
このように実施の形態２によれば、メール自動送信モードをＯＦＦにすることにより、マルチメディアデータに多くのアクセス先情報が含まれ、大量にメールが送信されることを防止することができると共に、ユーザが情報サーバを制御することにより、ユーザが希望する場合にメール送信を行わせることができる。
【００９０】
なお、録画予約が行われたマルチメディアデータから抽出されたアクセス先情報を、録画予約を行ったユーザに限定して送信するようにしてもよい。これにより、ユーザが求めるアクセス先情報を効率的に送信することができると共に、単に検索されたアクセス先情報を全て送信する場合に比べ、送信回数を抑えることができる。
【００９１】
（実施の形態３）
実施の形態１では、情報サーバと宅内サーバが分離している場合について説明したが、本発明の実施の形態３では、情報サーバのテロップ検索抽出機能を宅内サーバが有し、アクセス先情報が検出されたＩフレームの前後の動画を通信端末に送信する場合について説明する。なお、本実施の形態では、メール自動送信モードをＯＮにする。
【００９２】
図８は、本発明の実施の形態３に係る情報配信システム２５０の構成を示す。この図において、宅内サーバ１８１は、マルチメディアデータから映像情報に含まれるテロップの情報からアクセス先情報、及び他のテキストデータの抽出を行い、このフレームの静止画を作成する。そして、抽出したアクセス先情報、他のテキストデータ、録画日時、チャンネルをテキスト情報として通信端末１０３に送信する。また、静止画データも通信端末１０３に送信する。
【００９３】
また、宅内サーバ１８１は、アクセス先情報が検索されたＩフレームの表示時刻ｔ０を記憶し、ｔ０を中心とする前後の動画像を切り出し、切り出した動画像を通信端末に送信する。
【００９４】
図９は、図８に示す宅内サーバ１８１の内部構成を示す。ＭＰＥＧ２システムデコーダ１９１は、マルチメディアデータ蓄積部１２６からマルチメディアデータを取得し、取得したマルチメディアデータにＭＰＥＧ２システム復号を施す。システム復号されたマルチメディアデータはＭＰＥＧ−２デコーダ１９２及びＡＣ３デコーダ１９３に出力される。
【００９５】
ＭＰＥＧ−２デコーダ１９２は、ＭＰＥＧ２システムデコーダ１９１から出力されたマルチメディアデータをＭＰＥＧ２方式により復号し、復号したデータ（映像情報）をＳＷ１９４に出力する。
【００９６】
ＡＣ３デコーダ１９３は、ＭＰＥＧ２システムデコーダ１９１から出力されたマルチメディアデータをＡＣ３方式により復号し、復号したデータ（音声情報）をＳＷ１９５に出力する。
【００９７】
ＳＷ１９４及びＳＷ１９５には、録画中又は録画済みのマルチメディアデータのテロップ検索指示が入力され、録画中の検索指示が入力されると、ＳＷ１９４は録画中の映像情報をＭＰＥＧ−４エンコーダ１９６に入力し、ＳＷ１９５は録画中の音声情報をＡＡＣエンコーダ１９８に入力する。また、ＳＷ１９４及びＳＷ１９５に録画済みの検索指示が入力されると、ＳＷ１９４はＭＰＥＧ−２デコーダから出力されたデータ（映像情報）をＭＰＥＧ−４エンコーダ１９６に入力し、ＳＷ１９５はＡＣ３デコーダ１９３から出力されたデータ（音声情報）をＡＡＣエンコーダ１９８に入力する。
【００９８】
ＭＰＥＧ−４エンコーダ１９６は、ＳＷ１９４を介して入力された映像情報をＭＰＥＧ４形式により圧縮・符号化し、ビデオバッファ１９７に記憶させる。ビデオバッファ１９７に記憶された映像情報はテロップ検索抽出部１１４に出力される。
【００９９】
ＡＡＣエンコーダ１９８は、ＳＷ１９５を介して入力された音声情報をＡＡＣ方式により圧縮・符号化し、オーディオバッファ１９９に記憶させる。オーディオバッファ１９９に記憶された音声情報は、マルチメディアデータ加工部２０１に出力される。
【０１００】
ビデオバッファ２００は、テロップ検索抽出処理が行われた映像情報を記憶し、記憶した映像情報をマルチメディアデータ加工部２０１に出力する。
【０１０１】
マルチメディアデータ加工部２０１は、録画済みデータのビデオヘッダを取得し、取得したビデオヘッダ（各フレームの継続時間、各チャンクに含まれるフレーム数、各フレームのサイズ、各チャンクの先頭位置）から各フレームの表示時刻、サイズ、開始位置をビデオフレーム情報テーブルとして保持する。また、録画中は、各フレームの表示時刻、サイズ、開始位置をビデオフレーム情報Ｔｖ１、オーディオフレーム情報テーブルＴａ１として保持する。
【０１０２】
また、テロップ検索抽出部１１４で検索されたアクセス先情報を含むフレームの表示時刻ｔ０を記憶する。そして、エンコード及びテロップ検索抽出が行われた映像情報を保持するビデオバッファ２００と、エンコードされた音声情報を保持するオーディオバッファ１９９の中にｔ０からｔｅｘｔｒａｃｔ秒以上経過したＩフレームが保持されていれば、これらのバッファから表示時刻ｔ０よりｔｅｘｔｒａｃｔ秒前に最も近いＩフレームの開始位置Ｐ１と、表示時刻ｔ０よりｔｅｘｔｒａｃｔ秒後に最も近いＩフレームの終了位置Ｐ２との間のデータを抽出する。さらに、保存データ用ビデオフレーム情報テーブルＴｖ２、保存データ用オーディオフレーム情報テーブルＴａ２を作成する。
【０１０３】
ここで、保存データ用ビデオフレーム情報テーブルＴｖ２、保存データ用オーディオフレーム情報テーブルＴａ２は、ビデオフレーム情報Ｔｖ１、オーディオフレーム情報テーブルＴａ１のそれぞれにおける各フレームの表示時刻からＰ１の表示時刻を引き、各フレームの開始位置からＰ１の開始位置を引くことで得られたテーブルから、Ｐ１より前のデータ及びＰ２より後のデータを削除したものである。
【０１０４】
なお、ビデオバッファ２００及びオーディオバッファ１９９は、空き容量Ｃがｔ秒毎にチェックされ、空き容量Ｃが所定の容量（例えば、全容量の８０％、又はそれぞれのエンコードレートにｔｃｈｋの３倍の値など）を上回ったら、バッファ内の最も古いデータが所定サイズ分（例えば、残りデータが全容量の５０％となるサイズ、又は残りデータがそれぞれのエンコードレートに９０秒をかけた値となるサイズなど）削除される。
【０１０５】
マルチメディアデータ加工部２０１は、保存データ用ビデオフレーム情報テーブルＴｖ２、保存データ用オーディオフレーム情報テーブルＴａ２に基づいて、ファイルヘッダ（タイムスタンプテーブル、チャンクテーブル、サイズテーブル、チャンクオフセットテーブル）を作成し、作成したファイルヘッダ、映像情報及び音声情報をＭＰ４システムエンコーダ２０２に出力する。
【０１０６】
ＭＰ４システムエンコーダ２０２は、ファイルヘッダ、映像情報及び音声情報をシステムエンコードし、マルチメディアデータ蓄積部１２６に出力する。
【０１０７】
図１０は、図９に示す宅内サーバ１８１の基本動作を示す。ただし、図１０が図５と共通する部分は図５と同一の符号を付し、重複する説明は省略する。なお、ＳＴ１４４においてアクセス先情報が検出されなかった場合の次のステップと、ＳＴ１４８の次のステップと、ＳＴ１４９の次のステップはＳＴ２１１に移行する。図１０において、ＳＴ２１１では、前回記憶したｔ０から３０秒経過後のＩフレームをビデオバッファ２００が保持しているか判断され、保持していれば（ＹＥＳ）ＳＴ２１２に移行し、保持していなければ（ＮＯ）ＳＴ１５２に移行する。
【０１０８】
ＳＴ２１２では、送信データ作成スレッドを起動し、ビデオバッファ２００に保持されたデータからｔ０の前３０秒間及び後３０秒間のＭＰ４形式のマルチメディアデータファイル（以下、このマルチメディアデータファイルを「ＭＰ４ファイル」という）を作成し、作成したＭＰ４ファイルをマルチメディアデータ蓄積部１２６に保存する。そして、本実施の形態では、メール自動送信モードをＯＮにしているので、テキスト情報を通信端末１０３にメール送信する。
【０１０９】
ＳＴ２１３では、ＳＴ１５３においてビデオバッファ１９７にデータが残っていると判断されているので、テロップ検索抽出部１１４が保持するデータをビデオバッファ２００に出力する。
【０１１０】
このように実施の形態３によれば、アクセス先情報が検索されたＩフレームの前後の動画像を通信端末が取得することにより、アクセス先の詳細をユーザに通知することができるので、ユーザがアクセス先情報を用いてアクセスするか否かの判断材料とすることができる。
【０１１１】
なお、本実施の形態では、マルチメディアデータから切り出したＭＰ４ファイルを通信端末に送信するものとして説明したが、本発明はこれに限らず、ＭＰ４ファイルをマルチメディアデータ蓄積部に記憶すると共に、このＭＰ４ファイルの所在を示す情報（例えば、ＵＲＬ）を作成し、ＭＰ４ファイルの所在情報を通信端末に送信するようにしてもよい。これにより、データ量の多いＭＰ４ファイル（動画像）を通信端末に送信せず、ユーザがテキスト情報と静止画を見た上で、さらに動画像を見たい場合に動画像の所在情報を用いてアクセスすることにより、データ伝送量を抑えることができる。したがって、ユーザが望まないデータの配信を回避することができる。
【０１１２】
なお、本実施の形態では、マルチメディアフォーマットが３ＧＰＰのＭＰ４で拡張子が３ｇｐ、これに含まれるビデオフォーマットがＭＰＥＧ４、オーディオフォーマットがＡＡＣを例に挙げたが、本発明はこれに限らず、マルチメディアフォーマットが３ＧＰＰ２のＭＰ４で拡張子が３ｇ２、ビデオフォーマットがＨ．２６３、オーディオフォーマットがＡＭＲ、ＱＣＥＬＰなどでもよい。また、マルチメディアフォーマットを動画のみのｍｏｔｉｏｎ−ＧＩＦなどにしてもよい。さらに、本実施の形態では、表示時刻ｔ０の前後３０秒ずつのデータを切り出すようにしているが、切り出すデータの長さは限定せず、ユーザが指定するようにしてもよい。
【０１１３】
（実施の形態４）
実施の形態３では、情報サーバのテロップ検索抽出機能を宅内サーバが有し、アクセス先情報が検出されたＩフレームの前後の動画を通信端末に送信する場合において、メール自動送信モードをＯＮにした場合について説明したが、本発明の実施の形態４では、情報サーバのテロップ検索抽出機能を宅内サーバが有し、アクセス先情報が検出されたＩフレームの前後の動画を通信端末に送信する場合において、メール自動送信モードをＯＦＦにした場合について説明する。
【０１１４】
図１１は、本発明の実施の形態４に係る情報配信システム２５０の構成を示す。この図において、宅内サーバ１８１は、通信端末１０３から情報リクエストを受信すると、通信端末１０３とＳＳＬ（Super Socket Layer）接続を行い、ユーザ認証を行って、通信端末１０３からの情報リクエストに対して、録画予約、テロップ検索、ユーザ設定等の処理を行う。
【０１１５】
また、宅内サーバ１８１は、テロップ検索を行った場合、アクセス先情報が検索されたＩフレームの表示時刻ｔ０として記憶し、ｔ０を中心とする前後の動画像を切り出し、切り出した動画像を通信端末１０３に送信する。
【０１１６】
図１２は、図１１に示す宅内サーバ１８１の動作状態遷移を示す。図１２は、図７のＳＴ１６７、ＳＴ１６９、ＳＴ１７１を削除しただけなので、図１２の詳細な説明は省略する。
【０１１７】
このように実施の形態４によれば、メール自動送信モードをＯＦＦにすることにより、マルチメディアデータに多くのアクセス先情報が含まれ、大量にメールが送信されることを防止することができると共に、ユーザが宅内サーバを制御することにより、ユーザが希望する場合にメール送信を行わせることができる。
【０１１８】
なお、本実施の形態では、アクセス先情報を含むフレームの前後をオリジナルデータとは別のマルチメディアデータ（ＭＰ４ファイル）として保存するのではなく、検索したアクセス先情報を含むフレームの所定秒（例えば、３０秒）前の位置を記憶すると共に、通信端末から情報リクエストを受信したら、記憶した位置からデータの配信を開始するＷｅｂページを作成し、作成したＷｅｂページのＵＲＬをメールで送信するようにしてもよい。これにより、サーバは通信端末閲覧用のマルチメディアデータ（ＭＰ４ファイル）を作成する必要がなくなり、サーバの処理負担を削減することができる。また、アクセス先情報を含むフレームの前後のマルチメディアデータそのものを送信する場合に比べ、送信するデータ量を削減することができる。さらに、マルチメディアデータを取得するか否かをユーザが選択すれば、ユーザが望まないデータの配信を回避することができる。
【０１１９】
なお、上述した実施の形態１から実施の形態４において、アクセス先情報が検索されたフレームの静止画及びオリジナルデータから抽出されたマルチメディアデータ（ＭＰ４ファイル）の画像サイズをユーザ毎に指定された画像サイズに合わせてもよい。ユーザ毎に指定された画像サイズとは、サーバが保持するユーザ情報テーブル内に記憶されている画像サイズであってもよいし、また、環境情報としての環境変数HTTP_USER_AGENT又はユーザエージェント情報から取得され、サーバが保持する端末情報テーブル内に記憶されている端末情報を参照して得られる画像サイズであってもよい。また、ＭＰ４ファイルのフレームレートはオリジナルデータのフレームレートより低くしてもよい。これにより、静止画又はマルチメディアデータの画像サイズをユーザ毎に合わせることにより、それぞれ異なる画像サイズを有する通信端末装置が静止画又はマルチメディアデータを画面に収めきれないということを防止することができる。
【０１２０】
また、ｉモーション（登録商標）のテキストテロップに対応したもので、mail to, web to, phone to機能が知られているが、この機能を用いてＭＰ４ファイルにメールアドレス、ＵＲＬ、電話番号といったアクセス先情報をそれぞれ埋め込むように挿入してもよい。mail to, web to, phone to機能とは、テキストテロップ内に所定フォーマットにより、iモーションコンテンツのオーサリングツール等を用いてＵＲＬ、メールアドレス、電話番号を埋めこむことにより任意のiモードサイトへのジャンプ、任意のメールアドレスの指定、任意の電話番号の指定を行うことができる。なお、ｉモーションオーサリングツールには、Quick Time（登録商標）などのソフトウェアが用いられる。
【０１２１】
（他の実施の形態）
実施の形態１から実施の形態４では、情報サーバがマルチメディアデータに含まれるテロップを検索する場合について説明したが、ここでは、情報サーバがＢＭＬ（Broadcast Markup Language）フォーマットの情報からアクセス先情報等を検索する場合について説明する。なお、アクセス先情報を含むＢＭＬフォーマットの情報もマルチメディアデータとして扱う。
【０１２２】
情報サーバがＢＭＬからアクセス先情報等を検索する場合、情報サーバは図１３に示す構成をとり、宅内サーバがＢＭＬからアクセス先情報等を検索する場合、宅内サーバは図１４に示す構成をとる。
【０１２３】
図１３及び図１４に示すテロップ検索抽出部２５１は、ＢＭＬフォーマットで記述されたページのテキストを一定の時間間隔（例えば、２秒間隔）で抽出し、抽出したテキストの「>」「<」「”」位置に改行記号を挿入する。そして、ＢＭＬフォーマットの情報からアクセス先情報、及び他のテキストデータの抽出を行う。なお、実施の形態１から実施の形態４では、検索対象をＩフレームとしたが、この実施の形態では、ＢＭＬの１ページ分の記述となる。また、アクセス先情報を検索したときのビデオエンコード済み最新データの表示時間を、検索されたフレームの表示時間ｔ０とする。
【０１２４】
上述した実施の形態１及び実施の形態２では、情報サーバと宅内サーバが分離している場合において、通信端末が閲覧できるデータを静止画としており、実施の形態３及び実施の形態４では、宅内サーバが情報サーバとしての機能を有する場合において、通信端末が閲覧できるデータをマルチメディアデータとしているが、通信端末が閲覧できるデータはそれぞれ異なるものであってもよい。ただし、情報サーバが宅内サーバと分離し、情報サーバが多数のユーザのデータを扱う場合には、サイズの大きなマルチメディアデータを保持するための大きな記憶領域が必要である。
【産業上の利用可能性】
【０１２５】
本願発明にかかるサーバ装置、情報配信システム及び情報配信方法は、例えば、ネットワーク家電としてのＡＶ機器等に適用できる。
【図面の簡単な説明】
【０１２６】
【図１】本発明の実施の形態１に係る情報配信システムの構成を示すブロック図
【図２】図１に示す情報サーバの内部構成を示すブロック図
【図３】図１に示す宅内サーバの内部構成を示すブロック図
【図４】図１に示す情報サーバの基本動作を示す図
【図５】図１に示す情報サーバのテロップ検索抽出及び送信処理を示す図
【図６】本発明の実施の形態２に係る情報配信システムの構成を示すブロック図
【図７】図６に示す情報サーバの動作状態遷移を示す図
【図８】本発明の実施の形態３に係る情報配信システムの構成を示すブロック図
【図９】図８に示す宅内サーバの内部構成を示すブロック図
【図１０】図８に示す宅内サーバの基本動作を示す図
【図１１】本発明の実施の形態４に係る情報配信システムの構成を示すブロック図
【図１２】図１１に示す宅内サーバの動作状態遷移を示す図
【図１３】本発明の他の実施の形態に係る情報サーバの構成を示すブロック図
【図１４】本発明の他の実施の形態に係る宅内サーバの構成を示すブロック図
【図１５】特許文献１に記載のコンテンツ配信システムの構成を示すブロック図
【図１６】非特許文献１に記載の双方向サービスシステムの構成を示す概念図
【符号の説明】
【０１２７】
１００、２５０  情報配信システム
１０１、１８１  宅内サーバ
１０２  情報サーバ
１０３  通信端末
１１１  受信バッファ
１１２  ＭＰＥＧ２システムデコーダ
１１３、１２２、２００  ビデオバッファ
１１４、２５１  テロップ検索抽出部
１１５  テキスト情報作成部
１１６  静止画作成部
１１７  情報蓄積部
１１８、１２８、２０３  パケット化部
１２１  ＭＰＥＧ−２エンコーダ
１２３  ＡＣ３エンコーダ
１２４  オーディオバッファ
１２５  ＭＰＥＧ２システムエンコーダ
１２６  マルチメディアデータ蓄積部
１２７  送信データ取得処理部
２０１  マルチメディアデータ加工部
２０２  ＭＰ４システムエンコーダ
【図１】
2006092490.tif 000003
【図２】
2006092490.tif 000004
【図３】
2006092490.tif 000005
【図４】
2006092490.tif 000006
【図５】
2006092490.tif 000007
【図６】
2006092490.tif 000008
【図７】
2006092490.tif 000009
【図８】
2006092490.tif 000010
【図９】
2006092490.tif 000011
【図１０】
2006092490.tif 000012
【図１１】
2006092490.tif 000013
【図１２】
2006092490.tif 000014
【図１３】
2006092490.tif 000015
【図１４】
2006092490.tif 000016
【図１５】
2006092490.tif 000017
【図１６】
2006092490.tif 000018